Podtech/llm-jp-corpus-v4-ja_patent huggingface dataset:
【手続補正書】
【提出日】平成23年9月30日(2011.9.30)
【手続補正１】
【補正対象書類名】明細書
【補正対象項目名】０１０１
【補正方法】変更
【補正の内容】
【０１０１】
不平衡電圧補償は、対称座標成分算出部２０で算出した正相分電圧と、負荷側への入力電力のフィードバック値に基づいて電流指令値を生成する定電流指令値生成部４１と、この電流指令値と三相コンバータ２００への入力電流とに基づくＰＩ制御を行うＰＩ制御部４２とにより定電流制御を行う定電流制御部４０と、ＰＩ制御によってＰＦＣ制御（力率制御）を行う平均電力演算部５０と、定電流制御後の正相分電圧と逆相電圧と零相分電圧を加算する加算部３０とによって構成される。零相分電圧は、三相交流電圧の不平衡電圧を補償する補償信号として加算される。
【手続補正２】
【補正対象書類名】明細書
【補正対象項目名】０２３４
【補正方法】変更
【補正の内容】
【０２３４】
次に、S103の工程で電流検出処理を行う。S103の工程では、Ｉ／Ｏ部２ｄを介して入力した３相の交流入力電流信号ｉａ，ｉｂ，ｉｃを検出し、ｄ軸、ｑ軸の電流信号ｉｄ，ｉｑに変換する。S103の工程は、電流検出部６４およびｄｑ軸変換部８３で行う処理に対応する。
【手続補正３】
【補正対象書類名】明細書
【補正対象項目名】０２３６
【補正方法】変更
【補正の内容】
【０２３６】
次に、S105の工程で電流制御処理を行う。S105の工程では、S104の工程で生成した平均電力信号Ｐａｖｅと、S101の工程で正相逆相分離したｄ軸、ｑ軸の電圧信号の正相分ｅｄｐ，ｅｑｐとに基づいて電流指令値信号ｉ１ｄｐ＊ｒ，ｉ１ｑｐ＊ｒを生成し、電流指令値信号ｉ１ｄｐ＊ｒ，ｉ１ｑｐ＊ｒとｄｑ変換部で変換した求めたｄ軸、ｑ軸の電流信号ｉｄ，ｉｑと用いて電流制御信号を生成する。S105の工程は、定電流指令値生成部４１、定電流制御出力部４２ａ，４２ｂが行う処理に対応する。
【手続補正４】
【補正対象書類名】図面
【補正対象項目名】図１２
【補正方法】変更
【補正の内容】
【図１２】
2011120427.tif 000001
【手続補正書】
【提出日】平成23年9月11日(2011.9.11)
【手続補正１】
【補正対象書類名】特許請求の範囲
【補正対象項目名】全文
【補正方法】変更
【補正の内容】
【特許請求の範囲】
【請求項１】
冷凍した原肉を冷凍状態で定寸にカットする工程と、前記工程によりカットした小肉片を数量単位で一定量に分けて包装袋に収納して包装する工程とからなり、前記カット工程では食中毒菌の増殖を防止し、前記包装工程では小肉片の数量チェックを行うことによりパッケージ作業の簡素化を図ることを特徴とする食肉の包装方法。
【請求項２】
冷凍した原肉を冷凍状態で定寸にカットする工程と、前記工程によりカットした小肉片を焼く・煮る又は蒸す等の加熱処理により調理する工程と、前記工程により加熱調理した小肉片を数量単位で一定量に分けて包装袋に収納して包装する工程とからなり、前記カット工程では食中毒菌の増殖を防止すると共に前記調理工程では加熱の均一化を図り、前記包装工程では小肉片の数量チェックを行うことによりパッケージ作業の簡素化を図ることを特徴とする食肉の包装方法。
【請求項３】
定寸角型にカットすることを特徴とする請求項１又は請求項２に記載の食肉の包装方法。
【請求項４】
前記包装工程を自動化したことを特徴とする請求項１から請求項３のいずれか１項に記載の食肉の包装方法。
【請求項５】
前記カット工程では原肉をサイコロ状の角型小肉片にカットし、前記調理工程では前記サイコロ状角型小肉片の中心部の温度が７５℃以上で１分間以上加熱し、前記包装工程では前記サイコロ状角型小肉片を数量単位で一定量に分けて通気性を遮断したシートからなる包装袋に収納したことを特徴とする請求項２から請求項４のいずれか１項に記載の食肉の包装方法。
【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
固定子を有する電磁機器用の端部キャップであって、
前記固定子は複数の隣接するセグメントを有し、各セグメントはセグメント面を有し、
前記端部キャップは本体を有し、前記本体は本体面を有し、
前記本体面は、前記本体面と前記セグメント面が実質的に同じ平面上に位置するように、前記複数の隣接するセグメントの中の１つのセグメントのセグメント面に接触状態で位置するよう構成されたものであり、
前記本体面の一部は、隣接するセグメントの面が実質的に同じ平面上に位置するように、前記隣接するセグメントを前記固定子の中心軸に実質的に平行な方向に整列させるようその１つの隣接するセグメントの面に接触状態で配置可能なものである、
端部キャップ。
【請求項２】
前記本体面の一部は前記本体の第１の端部から伸びる指状部を含むものである、請求項１に記載の端部キャップ。
【請求項３】
前記本体は、さらに、前記指状部に隣接する前記本体の前記第１の端部上の雌形結合部と、スロットに隣接する前記本体の第２の端部上の雄形結合部と、を具え、
隣接する端部キャップ上の前記雄形結合部と前記雌形結合部は、前記隣接するセグメントを共に充分に保持するように互いに雌雄結合するものである、請求項２に記載の端部キャップ。
【請求項４】
前記雄形部材は、前記第１の端部から伸びる二股の爪を含み、同様の隣接する端部キャップの前記雌形部材にスナップ式に嵌合するよう構成されているものである、請求項３に記載の端部キャップ。
【請求項５】
前記雌形部材は前記第２の端部に定められたスナップ式のスロットを含むものである、請求項３に記載の端部キャップ。
【請求項６】
さらに、前記隣接するセグメントの中の１つのセグメントに接触状態で配置可能な複数の脚部と、
前記端部キャップが前記隣接するセグメントの中の１つのセグメント上に配置されたときに前記複数の脚部の中の１つの脚部から潜在的に削りとられ得る材料の一部を受け入れるために、前記複数の脚部の中の前記１つの脚部に隣接した少なくとも１つの凹所領域を定める１つの表面と、
を具える、請求項１に記載の端部キャップ。
【請求項７】
前記本体は、第１および第２の端部と、前記第１および第２の端部上にそれぞれ第１および第２のスナップ式結合部とを含み、
前記第１および第２のスナップ式結合部は、隣接する端部キャップを共に充分に連結して保持するように、その隣接する端部キャップ上の端部にスナップ式で結合するよう構成されているものである、請求項６に記載の端部キャップ。
【請求項８】
各セグメントがセグメント面を有する固定子の複数の隣接するセグメントと、複数の端部キャップと、を具える電磁機器用の固定子であって、
各端部キャップは、本体面を有する本体を具え、前記本体面は、前記本体面および前記セグメント面が実質的に同じ平面上に位置するように前記複数の隣接するセグメントの中の１つのセグメントのセグメント面に接触状態で配置されており、
前記本体面の一部は、隣接するセグメントの面が実質的に同じ平面上に位置するように、前記隣接するセグメントを前記固定子の中心軸と概して平行な方向に整列させるようその１つの隣接するセグメントの面に接触状態で配置されるものである、
電磁機器用の固定子。
【請求項９】
各端部キャップが、さらに、前記隣接するセグメントの中の１つのセグメントに接触状態で配置される複数の脚部と、前記端部キャップが前記隣接するセグメントの中の１つのセグメント上に配置されたときに前記複数の脚部の中の１つの脚部から潜在的に削り取られ得る材料の一部を受入れるために、前記複数の脚部の中の前記１つ脚部に隣接した少なくとも１つの凹所領域を定める表面と、を含むものである、請求項８に記載の固定子。
【請求項１０】
各本体は、第１および第２の端部と、前記第１および第２の端部上にそれぞれ第１および第２のスナップ式結合部とを含み、
前記第１および第２のスナップ式結合部は、前記隣接するセグメントを共に充分に連結して保持するように、隣接する端部キャップ上の端部にスナップ式で結合するよう構成されているものである、請求項８または９に記載の固定子。
【請求項１１】
電磁機器の固定子を組立てる方法であって、
前記固定子は、複数のセグメント、複数の端部キャップ、およびワイヤを含み、各セグメントは、両側の面、ヨーク部分、歯部分および極端部を有し、
ａ）前記端部キャップを前記セグメントの両側の面上に配置して、前記端部キャップが前記ヨーク部分を実質的にカバーするようにするステップと、
ｂ）前記端部キャップを締りばめ嵌合によって前記歯部分上に係合させることによって前記端部キャップを前記セグメント上に充分に保持するステップと、
ｃ）前記セグメントおよび前記端部キャップ上にワイヤを巻回するステップと、
ｄ）前記セグメントを前記固定子の形に形成するステップであって、隣接する前記セグメントの中の少なくとも１つのセグメントの両側の面の一方と接触状態で前記端部キャップの各端部キャップの面の一部を配置することによって、隣接する前記セグメントの各セグメントの両側の面の一方を実質的に同じ平面上に実質的に整列させることを含むステップと、
を含む、方法。
【請求項１２】
各端部キャップは、複数の脚部と、前記複数の脚部の中の１つの脚部に隣接した１つの凹所領域を定める表面とを含み、
前記ステップａ）は、前記端部キャップが前記複数のセグメントの中の１つセグメント上に配置されたときに前記１つの脚部から削り取られた材料の一部を前記凹所領域に受入れることを含むものである、請求項１１に記載の方法。
【請求項１３】
各端部キャップは、両側の端部と、前記両側の端部上にスナップ式結合部とを有する本体部分を含み、
前記ステップｄ）は、隣接する前記端部キャップの端部を共にスナップ式に結合することによって、隣接する前記セグメントの端部を共に充分に連結して保持することを含むものである、請求項１１または１２に記載の方法。
【手続補正２】
【補正対象書類名】明細書
【補正対象項目名】００１４
【補正方法】変更
【補正の内容】
【００１４】
発明の概要
本発明の特徴によれば、電磁機器用の端部キャップは、固定子を有する。その固定子は複数の隣接するセグメントを有し、各セグメントはセグメント面を有する。その端部キャップは本体を有し、その本体は本体面を有する。その本体面は、その本体面とそのセグメント面が実質的に同じ平面上に位置するように、その複数の隣接するセグメントの中の１つのセグメントのセグメント面に接触状態で位置するよう構成されている。その本体面の一部は、隣接するセグメントの面が実質的に同じ平面上に位置するように、その隣接するセグメントをその固定子の中心軸に実質的に平行な方向に整列させるようその１つの隣接するセグメントの面に接触状態で配置可能である。
【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
血小板膜糖蛋白質ＶＩ（ＧＰＶＩ）のドメイン又はループの１又は２以上が他種の動物の対応するドメイン又はループのアミノ酸配列によって置換されている血小板膜糖蛋白質ＶＩ（ＧＰＶＩ）変異体。
【請求項２】
血小板膜糖蛋白質ＶＩ（ＧＰＶＩ）が、ヒト血小板膜糖蛋白質ＶＩ（ＧＰＶＩ）である請求項１に記載のＧＰＶＩ変異体。
【請求項３】
他種の動物が、サル、マウスまたはラットである請求項２に記載のＧＰＶＩ変異体。
【請求項４】
ＧＰＶＩ変異体が、配列番号１３５ないし１５１の何れかのアミノ酸配列を含有するポリペプチドである、請求項１ないし３のいずれかに記載のＧＰＶＩ変異体。
【請求項５】
血小板膜糖蛋白質ＶＩ（ＧＰＶＩ）が、非ヒト動物の血小板膜糖蛋白質ＶＩ（ＧＰＶＩ）である請求項１に記載のＧＰＶＩ変異体。
【請求項６】
非ヒト動物が、サル、マウスまたはラットである請求項５に記載のＧＰＶＩ変異体。
【請求項７】
血小板膜糖蛋白質ＶＩ（ＧＰＶＩ）変異体が、さらにＧＰＶＩ以外のポリペプチドを含有している請求項１から６のいずれかに記載のＧＰＶＩ変異体。
【請求項８】
ＧＰＶＩ以外のポリペプチドが、Ｆｃのアミノ酸配列を有するポリペプチドである請求項７に記載のＧＰＶＩ変異体。
【請求項９】
請求項１ないし８のいずれかに記載のＧＰＶＩ変異体の少なくとも何れか一つとの反応性を測定する工程を含む、抗ＧＰＶＩ抗体又はその活性断片のスクリーニング方法。
【請求項１０】
請求項１ないし８のいずれかに記載のＧＰＶＩ変異体の少なくとも何れか一つとの反応性を測定する工程を含む、抗ＧＰＶＩ抗体又はその活性断片の認識領域の同定方法。
【請求項１１】
請求項１ないし８のいずれかに記載のＧＰＶＩ変異体の少なくとも何れか一つを用いることを特徴とする、抗ＧＰＶＩ抗体又はその活性断片の製造方法。
【請求項１２】
請求項１ないし８のいずれかに記載のＧＰＶＩ変異体の少なくとも何れか一つを免疫用の投与抗原として、又は、体外免疫用の抗原として用いることを特徴とする、請求項１１に記載の製造方法。
【請求項１３】
請求項１ないし８のいずれかに記載のＧＰＶＩ変異体の少なくとも何れか一つを抗体の検出用または同定用の抗原として用いることを特徴とする、請求項１１又は１２に記載の製造方法。
【請求項１４】
以下の少なくとも何れか一つの工程を含む、請求項１１ないし１３の何れかに記載の製造方法：
ａ）血小板を活性化させる作用を測定する工程、
ｂ）生体内における血小板減少を惹起する作用を測定する工程、または、
ｃ）血小板と接触させることにより血小板膜上のＧＰＶＩを少なくとも部分的に消失させる活性を測定する工程。
【請求項１５】
以下の少なくとも何れか一つの工程を含む、請求項１１ないし１４の何れかに記載の製造方法：
ａ）抗体産生細胞を回収する工程、
ｂ）抗体産生細胞をクローン化する工程、
ｃ）抗体産生細胞の核酸を回収する工程、または、
ｄ）抗ＧＰＶＩ抗体もしくはその活性断片またはそれらの誘導体を回収する工程。
【請求項１６】
請求項１１ないし１５の何れかに記載の方法で製造された、抗ＧＰＶＩ抗体又はその活性断片。
【手続補正２】
【補正対象書類名】明細書
【補正対象項目名】００３１
【補正方法】変更
【補正の内容】
【００３１】
本発明の第９の態様は、特定のＧＰＶＩ変異体、例えば、アミノ酸置換体、種間でのドメイン置換体または種間での部分配列置換体、例えばループ置換体等である。好ましくは図１及び３に示されるＧＰＶＩの１もしくは２以上のループ構造を構成するアミノ酸を他のアミノ酸または他種（例えば、ヒト、サル、マウス及びラット）の対応するループのアミノ酸で置換した変異体であり、具体例は表４または実施例に記載されている。具体的には、
（３５）配列番号１３７ないし１５１のアミノ酸配列を含有するポリペプチドである。
【手続補正書】
【提出日】平成21年12月14日(2009.12.14)
【手続補正１】
【補正対象書類名】明細書
【補正対象項目名】０００６
【補正方法】変更
【補正の内容】
【０００６】
現在、開発者は一般に、様々な特定の条件について様々な結果を生じる独自のソフトウエア・プログラムを作成する。特定の条件を満たすようにアルゴリズムを設計する開発者が、取得プロトコルにおける殆どのバラツキの原因である。典型的なバラツキは、再構成方法、データ中のノイズ、経時的分解能、用いられるコントラスト、及びその他の変数を含むことができる。これらの変数のような変数は一般に、アルゴリズムを開発するときに考慮される。変数の数が増加するにつれて、アルゴリズムの複雑さのレベルが増大する。各々の変数は一般に、自動又は半自動コンピュータ利用検出アルゴリズムについて異なる複雑さを導入する。従って、特定の条件について独自のアルゴリズムを利用することは、開発及び商業化のために一般的に効率が悪く且つ経費が大幅に高くなる。
【特許文献１】米国早期公開特許公報２００５−００５９８７３
【手続補正書】
【提出日】平成23年2月16日(2011.2.16)
【手続補正１】
【補正対象書類名】特許請求の範囲
【補正対象項目名】請求項５
【補正方法】変更
【補正の内容】
【請求項５】
所定の領域をほぼ同時に通過する複数の非接触情報記憶装置と通信するための、それぞれ異なる位置に配置された複数のアンテナと、
前記複数のアンテナにそれぞれ接続されていて、前記複数の非接触情報記憶装置と通信可能な複数の読取り装置と、
前記複数の読取り装置を制御し、前記複数の読取り装置から受け取ったデータを別の装置に送信する制御装置と、
を含む情報アクセス・システムにおいて、非接触情報記憶装置内の情報にアクセスする方法であって、
前記別の装置から受け取った制御信号に従って、前記複数の読取り装置の中の１つの所定の読取り装置をそのアンテナを介して前記所定の領域にＲＦ識別情報要求信号を送信するよう制御し、
前記複数の読取り装置に、前記複数の非接触情報記憶装置からのＲＦ応答信号を前記複数のアンテナを介して受信させて識別情報を生成させ、
前記生成された識別情報を受け取って、前記受け取った識別情報の中の冗長な識別情報を処理して冗長性のない識別情報を生成し、前記冗長性のない識別情報を前記別の装置に供給することを特徴とする、
方法。
【手続補正２】
【補正対象書類名】明細書
【補正対象項目名】００１２
【補正方法】変更
【補正の内容】
【００１２】
本発明の特徴によれば、非接触情報記憶装置内の情報にアクセスするための情報アクセス・システムは、所定の領域を同時に通過する複数の非接触情報記憶装置と通信するための、それぞれ異なる位置に配置された複数のアンテナと、その複数のアンテナにそれぞれ接続されていて、その複数の非接触情報記憶装置と通信可能な複数の読取り装置と、その複数の読取り装置を制御し、その複数の読取り装置から受け取ったデータを別の装置に送信する制御装置と、を含み、その制御装置は、その別の装置から受け取った制御信号に従って、その複数の読取り装置の中の１つの所定の読取り装置をそのアンテナを介してその所定の領域にＲＦ識別情報要求信号を送信するよう制御し、その複数の読取り装置は、その複数の非接触情報記憶装置からのＲＦ応答信号をその複数のアンテナを介して受信して識別情報を生成し、その生成された識別情報をその制御装置に供給するよう構成されており、その制御装置は、その生成された識別情報を受け取って、その受け取った識別情報の中の冗長な識別情報を処理して冗長性のない識別情報を生成し、その冗長性のない識別情報をその別の装置に供給する。
【誤訳訂正書】
【提出日】平成22年12月6日(2010.12.6)
【誤訳訂正１】
【訂正対象書類名】明細書
【訂正対象項目名】０００７
【訂正方法】変更
【訂正の内容】
【０００７】
通常のガスタービンエンジン運転中は、燃料は、燃焼器が1未満の燃料／空気混合当量比で運転されるように燃焼器に空気流と比例して供給される。ガスタービンエンジンの運転速度が増加し追加の燃料と空気が燃焼器に供給されるときは、水供給装置は燃焼器に水または蒸気のどちらかを供給する。追加燃料が燃焼器内で燃焼される結果発生する燃焼器区域の焔焼温度の上昇は、燃焼器に供給される水または蒸気により最小化される。その結果、発生する窒素酸化物の排気は低減される。若しくは、ガスタービンエンジンは、定められた窒素酸化物排気のレベルで増加した運転出力レベルを得ることができる。
【誤訳訂正２】
【訂正対象書類名】明細書
【訂正対象項目名】００１０
【訂正方法】変更
【訂正の内容】
【００１０】
図２は、ガスタービンエンジン１０(図１に示す)に使用される燃焼器１６の断面図である。燃焼器１６は希薄予混合式燃焼器なので、燃焼器１６に供給される燃料／空気混合気は、燃料を完全燃焼させるのに必要な量以上の空気を含む。従って、燃焼器１６に対する燃料／空気混合当量比は１未満である。燃焼器１６は燃料と空気を予混合するので、燃焼器１６は希薄予混合式燃焼器である。燃焼器１６は、環状の外側ライナ４０、環状の内側ライナ４２、並びに外側及び内側ライナ４０及び４２の間に延びるドーム状端部４４をそれぞれ備える。外側ライナ４０及び内側ライナ４２は、燃焼器ケーシング１３６から半径方向内部に間隔を置いて配置され、燃焼室４６を画定している。燃焼器ケーシング１３６は全般的に環状であり、ディフューザ４８から下流に延びている。燃焼室４６は、形状が全体的に環状であり、ライナ４０及び４２から半径方向内部に配置される。外側ライナ４０及び燃焼器ケーシング１３６は外側通路５２を画定し、内側ライナ４２及び燃焼器ケーシング１３６は内側通路５４を画定する。外側及び内側ライナ４０及び４２はディフューザ４８から下流に配置されたタービンノズル５５まで延びている。
【誤訳訂正３】
【訂正対象書類名】明細書
【訂正対象項目名】００２２
【訂正方法】変更
【訂正の内容】
【００２２】
上記のガスタービンエンジン用燃焼器装置は、コスト効果及び信頼性が高い。燃焼器装置は、1未満の燃料／空気混合当量比で運転可能である燃焼器と、ガスタービンエンジン運転中に発生する窒素酸化物排気を減少させるために燃焼器中に水及び／または蒸気を噴射する水供給装置とを備えている。その結果、特定のタービン運転出力レベルでの窒素酸化物排気が低減される。若しくは、ガスタービンエンジンの運転出力レベルを、特定の窒素酸化物排気のレベルで増大させることができる。
【手続補正書】
【提出日】平成22年12月27日(2010.12.27)
【手続補正１】
【補正対象書類名】明細書
【補正対象項目名】特許請求の範囲
【補正方法】変更
【補正の内容】
【特許請求の範囲】
【請求項１】  陽極及び陰極と、これらの間に狭持された１層もしくは複数層の有機化合物より構成される電界発光素子に於いて、陽極と有機層の間にキャリア輸送補助層として一般式（１）
【化１】
2002151272.tif 000001
（式中、Ｒ1及びＲ3はそれぞれ独立して水素原子、非置換もしくは置換の一価炭化水素基又はオルガノオキシ基を示し、Ｒ2は水素原子、水酸基、アシル基、非置換もしくは置換の一価炭化水素基又はオルガノオキシ基を示し、Ａ及びＢはそれぞれ独立に一般式（２）又は一般式（３）
【化２】
2002151272.tif 000002
で表される二価の基であり、Ｒ4〜Ｒ11はそれぞれ独立して水素原子、水酸基、非置換もしくは置換の一価炭化水素基又はオルガノオキシ基、アシル基、又はスルホン酸基であり、ｍ及びｎはそれぞれ独立に１以上の正数で、ｍ＋ｎ≦２０を満足する。）で表されるオリゴアニリン誘導体と電子受容性ドーパントとで塩を形成してなる電気伝導性薄膜を用いたことを特徴とする電界発光素子。
【請求項２】  一般式（１）中のＲ2は、水素原子、水酸基、アシル基、炭素数１〜２０のアルキル基、又は炭素数１〜２０のアルコキシ基である請求項１記載の電界発光素子。
【請求項３】  ドーパントとして一般式（４）
【化３】
2002151272.tif 000003
（Ｄはベンゼン環、ナフタレン環、アトラセン環、フェナントレン環又は複素環を表し、Ｒ12及びＲ13はそれぞれ独立してカルボキシル基又はヒドロキシル基を表す。）で表されるスルホン酸誘導体を用いたことを特徴とする請求項１又は２記載の電界発光素子。
【請求項４】  請求項１記載の導電性薄膜においてその薄膜が一般式（１）のオリゴアニリン誘導体と一般式（４）のスルホン酸誘導体を有機溶剤に分散もしくは溶解させたものをスピンコートもしくはディッピングにより形成された請求項１乃至３のいずれかの請求項に記載の電界発光素子。
【請求項５】  請求項１記載の導電性薄膜においてその薄膜が一般式（１）のオリゴアニリン誘導体と一般式（４）のスルホン酸誘導体を有機溶剤に分散もしくは溶解させドーピングしその後、溶剤から単離したものを蒸着法により形成された請求項１乃至３のいずれかの請求項に記載の電界発光素子。
【請求項６】  一般式（１）で表されるオリゴアニリン誘導体と電子受容性ドーパントとの塩を含むキャリア輸送補助材料。
【化８】
2002151272.tif 000004
（式中、Ｒ1及びＲ3はそれぞれ独立して水素原子、非置換もしくは置換の一価炭化水素基又はオルガノオキシ基を示し、Ｒ2は水素原子、水酸基、アシル基、非置換もしくは置換の一価炭化水素基又はオルガノオキシ基を示し、Ａ及びＢはそれぞれ独立に一般式（２）又は一般式（３）
【化９】
2002151272.tif 000005
で表される二価の基であり、Ｒ4〜Ｒ11はそれぞれ独立して水素原子、水酸基、非置換もしくは置換の一価炭化水素基又はオルガノオキシ基、アシル基、又はスルホン酸基であり、ｍ及びｎはそれぞれ独立に１以上の正数で、ｍ＋ｎ≦２０を満足する。）
【請求項７】  前記Ａ及びＢが、前記一般式（２）で示される二価の基である請求項６記載のキャリア輸送補助材料。
【請求項８】  前記Ｒ3が、フェニル基である請求項６又は７記載のキャリア輸送補助材料。
【請求項９】  前記オリゴアニリン誘導体が、下記式で示される請求項６〜８のいずれか１項記載のキャリア輸送補助材料。
【化１０】
2002151272.tif 000006
【請求項１０】  前記ドーパントが、一般式（４）で表されるスルホン酸誘導体である請求項６〜９のいずれか１項記載のキャリア輸送材料。
【化１１】
2002151272.tif 000007
（Ｄはベンゼン環、ナフタレン環、アトラセン環、フェナントレン環又は複素環を表し、Ｒ12及びＲ13はそれぞれ独立してカルボキシル基又はヒドロキシル基を表す。）
【請求項１１】  請求項６〜１０のいずれか１項記載のキャリア輸送材料から作製される薄膜。
【手続補正書】
【提出日】平成23年2月10日(2011.2.10)
【手続補正１】
【補正対象書類名】特許請求の範囲
【補正対象項目名】請求項１
【補正方法】変更
【補正の内容】
【請求項１】
当りか否かの当り抽選を行う当り抽選手段と、前記当り抽選手段の抽選結果に基づき複数種類の図柄を変動させて行う図柄変動ゲームを表示可能な表示手段と、前記表示手段に表示する図柄変動ゲームの変動態様を制御するゲーム制御手段と、を備え、前記当り抽選で当りに当選した場合には前記図柄変動ゲームにおいて当りを認識可能な図柄が表示された後に当り遊技が付与されるとともに、前記当り遊技の終了後には、前記当り抽選の抽選確率状態が高確率抽選状態及び低確率抽選状態の何れの場合でも実行され前記当り抽選の抽選確率状態が前記高確率抽選状態であるか否かを遊技者に示唆する示唆演出が行われ、前記当りの図柄が表示される可能性を示唆する予告演出が前記図柄変動ゲームの実行中に行われる遊技機であって、
前記当り抽選で当りに当選した場合に前記当り遊技の終了後における前記当り抽選の抽選確率状態を高確率抽選状態及び低確率抽選状態の何れとするかを決定する抽選確率状態決定手段と、
前記抽選確率状態決定手段の決定結果にしたがって、前記当り遊技の終了後における前記当り抽選の抽選確率状態を高確率抽選状態及び低確率抽選状態の何れかに制御する状態制御手段と、
前記状態制御手段により制御される前記抽選確率状態を含む遊技状態に関する制御情報を電源遮断後も記憶保持可能な記憶保持手段と、
前記予告演出の演出内容が対応付けられた複数種類の予告モードの中から予告モードを選択する予告モード選択手段と、
前記予告モード選択手段が選択している予告モードに対応付けられた予告演出の演出内容の中から予告演出の演出内容を選択し、当該選択した演出内容の予告演出が前記図柄変動ゲームの実行中に行われるように予告手段を制御する予告制御手段と、
前記予告モード選択手段が予告モードを選択してから実行された図柄変動ゲームの実行回数を計数する計数手段と、
前記計数手段が計数する図柄変動ゲームの実行回数が予め定めた規定回数に達したか否かを判定する判定手段と、を備え、
前記状態制御手段は、電源投入時に前記記憶保持手段が記憶保持している制御情報にしたがって電源投入後における前記当り抽選の抽選確率状態を制御し、
前記予告モード選択手段は、電源投入を契機として前記複数種類の予告モードの中から初期予告モードを選択するとともに、前記判定手段により肯定判定されたことを契機として前記予告モードを再選択するようになっており、前記複数種類の予告モードには、前記状態制御手段により前記当り抽選の抽選確率状態が高確率抽選状態に制御されている場合に選択され易い特定予告モードが含まれている遊技機。
【手続補正２】
【補正対象書類名】明細書
【補正対象項目名】０００７
【補正方法】変更
【補正の内容】
【０００７】
上記問題点を解決するために、請求項１に記載の発明は、当りか否かの当り抽選を行う当り抽選手段と、前記当り抽選手段の抽選結果に基づき複数種類の図柄を変動させて行う図柄変動ゲームを表示可能な表示手段と、前記表示手段に表示する図柄変動ゲームの変動態様を制御するゲーム制御手段と、を備え、前記当り抽選で当りに当選した場合には前記図柄変動ゲームにおいて当りを認識可能な図柄が表示された後に当り遊技が付与されるとともに、前記当り遊技の終了後には、前記当り抽選の抽選確率状態が高確率抽選状態及び低確率抽選状態の何れの場合でも実行され前記当り抽選の抽選確率状態が前記高確率抽選状態であるか否かを遊技者に示唆する示唆演出が行われ、前記当りの図柄が表示される可能性を示唆する予告演出が前記図柄変動ゲームの実行中に行われる遊技機であって、前記当り抽選で当りに当選した場合に前記当り遊技の終了後における前記当り抽選の抽選確率状態を高確率抽選状態及び低確率抽選状態の何れとするかを決定する抽選確率状態決定手段と、前記抽選確率状態決定手段の決定結果にしたがって、前記当り遊技の終了後における前記当り抽選の抽選確率状態を高確率抽選状態及び低確率抽選状態の何れかに制御する状態制御手段と、前記状態制御手段により制御される前記抽選確率状態を含む遊技状態に関する制御情報を電源遮断後も記憶保持可能な記憶保持手段と、前記予告演出の演出内容が対応付けられた複数種類の予告モードの中から予告モードを選択する予告モード選択手段と、前記予告モード選択手段が選択している予告モードに対応付けられた予告演出の演出内容の中から予告演出の演出内容を選択し、当該選択した演出内容の予告演出が前記図柄変動ゲームの実行中に行われるように予告手段を制御する予告制御手段と、前記予告モード選択手段が予告モードを選択してから実行された図柄変動ゲームの実行回数を計数する計数手段と、前記計数手段が計数する図柄変動ゲームの実行回数が予め定めた規定回数に達したか否かを判定する判定手段と、を備え、前記状態制御手段は、電源投入時に前記記憶保持手段が記憶保持している制御情報にしたがって電源投入後における前記当り抽選の抽選確率状態を制御し、前記予告モード選択手段は、電源投入を契機として前記複数種類の予告モードの中から初期予告モードを選択するとともに、前記判定手段により肯定判定されたことを契機として前記予告モードを再選択するようになっており、前記複数種類の予告モードには、前記状態制御手段により前記当り抽選の抽選確率状態が高確率抽選状態に制御されている場合に選択され易い特定予告モードが含まれていることを要旨とした。
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
遊技球が始動口に入球すると大当り決定乱数が含まれる複数種類の乱数を取得する乱数取得手段と、
該乱数取得手段にて取得した前記複数種類の乱数を上限個数までの範囲内で記憶する記憶手段と、
前記記憶手段に記憶されている前記大当り決定乱数を用いて遊技者に有利な状態である大当り状態にするか否かの大当り抽選を行う抽選手段と、
特別図柄の変動開始から確定表示までの変動時間を決定する変動時間決定手段と、
前記大当り状態でない場合に、特別図柄表示装置を制御して前記変動時間にわたって前記特別図柄を変動表示させてから前記大当り抽選の結果を示す特別図柄を確定表示させる特別図柄表示制御手段と、
前記大当り抽選の結果及び前記決定した変動時間を指定するコマンドを表示制御コマンドとして送信するコマンド送信手段と
を有する主制御装置と、
前記表示制御コマンドを受信すると、演出表示装置を制御して、前記特別図柄が変動している間、疑似図柄の演出表示を行わせるサブ制御装置と
を備え、
通常確率状態と該通常確率状態よりも前記大当り抽選による当選確率が高い高確率状態とがあるパチンコ遊技機において、
前記乱数取得手段によって取得される複数種類の乱数には、変動パターン決定用第１乱数と変動パターン決定用第２乱数とが含まれ、
前記変動時間決定手段は、前記抽選手段による前記大当り抽選の抽選結果が当たりであってもはずれであっても、さらには、前記通常確率状態であっても前記高確率状態であっても、前記変動時間を、複数種類ある基本変動時間から選択した一つの基本変動時間と、複数種類ある付加変動時間から選択した一つの付加変動時間とを合せた時間として決定する構成であり、
少なくとも前記記憶手段に記憶された前記変動パターン決定用第１乱数と前記大当り抽選の抽選結果とに基づいて前記基本変動時間を選択し、少なくとも該選択された前記基本変動時間と前記記憶手段に記憶された前記変動パターン決定用第２乱数とに基づいて前記付加変動時間を選択するようにした
ことを特徴とするパチンコ遊技機。
【手続補正２】
【補正対象書類名】明細書
【補正対象項目名】００１２
【補正方法】変更
【補正の内容】
【００１２】
遊技球が始動口に入球すると大当り決定乱数が含まれる複数種類の乱数を取得する乱数取得手段と、
該乱数取得手段にて取得した前記複数種類の乱数を上限個数までの範囲内で記憶する記憶手段と、
前記記憶手段に記憶されている前記大当り決定乱数を用いて遊技者に有利な状態である大当り状態にするか否かの大当り抽選を行う抽選手段と、
特別図柄の変動開始から確定表示までの変動時間を決定する変動時間決定手段と、
前記大当り状態でない場合に、特別図柄表示装置を制御して前記変動時間にわたって前記特別図柄を変動表示させてから前記大当り抽選の結果を示す特別図柄を確定表示させる特別図柄表示制御手段と、
前記大当り抽選の結果及び前記決定した変動時間を指定するコマンドを表示制御コマンドとして送信するコマンド送信手段と
を有する主制御装置と、
前記表示制御コマンドを受信すると、演出表示装置を制御して、前記特別図柄が変動している間、疑似図柄の演出表示を行わせるサブ制御装置と
を備え、
通常確率状態と該通常確率状態よりも前記大当り抽選による当選確率が高い高確率状態とがあるパチンコ遊技機において、
前記乱数取得手段によって取得される複数種類の乱数には、変動パターン決定用第１乱数と変動パターン決定用第２乱数とが含まれ、
前記変動時間決定手段は、前記抽選手段による前記大当り抽選の抽選結果が当たりであってもはずれであっても、さらには、前記通常確率状態であっても前記高確率状態であっても、前記変動時間を、複数種類ある基本変動時間から選択した一つの基本変動時間と、複数種類ある付加変動時間から選択した一つの付加変動時間とを合せた時間として決定する構成であり、
少なくとも前記記憶手段に記憶された前記変動パターン決定用第１乱数と前記大当り抽選の抽選結果とに基づいて前記基本変動時間を選択し、少なくとも該選択された前記基本変動時間と前記記憶手段に記憶された前記変動パターン決定用第２乱数とに基づいて前記付加変動時間を選択するようにした
ことを特徴とする。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
遊技球の始動入賞口への落入を示す始動入賞情報を取得する始動入賞処理部と、
前記始動入賞情報の取得を契機として抽選を実行する抽選実行部と、
前記抽選の結果が特別遊技への移行を示す結果となったか否かを停止図柄の種類により示す特別図柄と、その特別図柄に連動して前記抽選の結果を視覚的に演出する装飾図柄を図柄表示部に変動表示する図柄表示装置と、
前記抽選の結果に応じて図柄変動を停止したときの前記特別図柄が特定の態様となった場合に、前記特別遊技への移行を決定する移行決定部と、
前記特別遊技に移行する場合に、大入賞口の開閉パターンを予め規定した複数の開閉パターンの中から選択する開閉パターン選択部と、
選択された開閉パターンに基づいて前記大入賞口を開閉制御する大入賞口制御部と、
を備え、
前記特別遊技として、前記大入賞口の開閉パターンが互いに異なる第１の特別遊技と第２の特別遊技とが設けられ、
前記第２の特別遊技における前記大入賞口のトータルの開放時間が、前記第１の特別遊技における前記大入賞口のトータルの開放時間よりも短く設定されるとともに、前記第２の特別遊技を構成する第２の特別遊技用１ラウンドにおける前記大入賞口の開放時間が、前記第１の特別遊技を構成する第１の特別遊技用１ラウンドにおける前記大入賞口の開放時間よりも相対的に短く設定され、
前記図柄表示装置での変動表示が停止した際にその画面上に表示される装飾図柄が、前記抽選の結果が前記第１の特別遊技への移行を示す結果である場合と前記第２の特別遊技への移行を示す結果である場合とで区別なく定められ、
前記複数の開閉パターンとして、前記抽選の結果が前記第２の特別遊技への移行を示す結果である場合に、その第２の特別遊技における前記大入賞口の最初の開放から所定期間経過したときに前記大入賞口を閉じる第２の特別遊技用開閉パターンと、前記抽選の結果が前記第１の特別遊技への移行を示す結果である場合に、その第１の特別遊技における前記大入賞口の最初の開放から所定期間経過したときに一旦閉じ、その第１の特別遊技の残りの期間内に再び開放させる第１の特別遊技用開閉パターンとが含まれ、
前記開閉パターン選択部は、前記抽選の結果が前記第２の特別遊技への移行を示す結果である場合に前記第２の特別遊技用開閉パターンを選択し、前記抽選の結果が前記第１の特別遊技への移行を示す結果である場合に前記第１の特別遊技用開閉パターンを選択し、
前記大入賞口制御部は、
前記抽選の結果が前記第２の特別遊技への移行を示す結果となり前記第２の特別遊技へ移行した場合には、その第２の特別遊技における前記大入賞口の最初の開放からの期間の経過を判定し、所定期間を経過したときに前記大入賞口を閉鎖してその閉鎖状態を継続することによりその第２の特別遊技を終了させ、
前記抽選の結果が前記第１の特別遊技への移行を示す結果となり前記第１の特別遊技へ移行した場合には、その第１の特別遊技における前記大入賞口の最初の開放からの期間の経過を判定し、所定期間を経過したときに前記大入賞口を一旦閉鎖した後、その第１の特別遊技にて再び開放させ、前記第１の特別遊技を終了させるための予め定める条件が成立しない限り前記大入賞口を繰り返し開放させて前記第１の特別遊技を継続させることを特徴とする弾球遊技機。
【手続補正書】
【提出日】平成23年7月26日(2011.7.26)
【手続補正１】
【補正対象書類名】特許請求の範囲
【補正対象項目名】全文
【補正方法】変更
【補正の内容】
【特許請求の範囲】
【請求項１】
第１バンクの噴射セル、及び第２バンクの噴射セルを含む複数の噴射セル（70）と、
制御信号に応答し、前記第１バンクの噴射セルをイネーブルし、作動させるための第１のアドレス信号の第１のシーケンスと、前記第２バンクの噴射セルをイネーブルし、作動させるための第２のアドレス信号の第２のシーケンスとを選択的に生成するように構成された第１のアドレス発生器（400）であって、前記アドレス信号の第２のシーケンスが、前記アドレス信号の第１のシーケンスとは無関係に選択的に生成される、第１のアドレス発生器（400）と
を含み、前記制御信号は、制御パルス、及び一連のタイミングパルスを含み、前記第１のアドレス発生器は、前記一連のタイミングパルスのうちの一部のタイミングパルスと実質的に同期した制御パルスの受信に応答し、前記第１のシーケンスを開始し、及び前記第２のシーケンスを開始するように構成される、流体噴射装置（22）。
【請求項２】
前記第１のアドレス発生器は、前記一連のタイミングパルスのうちの第１のタイミングパルスと実質的に同期した前記制御パルス中の第１の制御パルスの受信に応答し、前記第１のシーケンスを開始するように構成される、請求項１に記載の流体噴射装置。
【請求項３】
前記第１のアドレス発生器は、前記一連のタイミングパルスのうちの第２のタイミングパルスと実質的に同期した前記制御パルス中の第２の制御パルスの受信に応答し、前記第２のシーケンスを開始するように構成される、請求項２に記載の流体噴射装置。
【請求項４】
前記第１のアドレス発生器は、前記一連のタイミングパルスのうちの第３のタイミングパルスと実質的に同期した前記制御パルス中の第３の制御パルスの受信に応答し、第１の方向信号をセットするように構成された方向回路（404）をさらに含む、請求項２に記載の流体噴射装置。
【請求項５】
前記噴射セルは、第３バンクの噴射セル、及び第４バンクの噴射セルを含み、前記流体噴射装置は、
前記制御信号に応答し、前記第３バンクの噴射セルをイネーブルし、作動させるための第３のアドレス信号の第３のシーケンスと、前記第４バンクの噴射セルをイネーブルし、作動させるための第４のアドレス信号の第４のシーケンスとを選択的に生成するように構成された第２のアドレス発生器であって、前記アドレス信号の第３のシーケンスが、前記アドレス信号の第４のシーケンスとは無関係に選択的に生成される、第２のアドレス発生器
をさらに含む、請求項１に記載の流体噴射装置。
【請求項６】
流体噴射装置から流体を噴射する方法であって、
制御信号を受信するステップであって、前記制御信号のうちの１つにおいて制御パルスを受信し、前記制御信号において一連のタイミングパルスを受信することを含む、制御信号を受信するステップと、
前記制御信号に応答し、第１バンクの噴射セルをイネーブルし、作動させるための第１のアドレス信号の第１のシーケンスを選択的に生成するステップと、
前記制御信号に応答し、第２バンクの噴射セルをイネーブルし、作動させるための第２のアドレス信号の第２のシーケンスを選択的に生成するステップであって、前記アドレス信号の第２のシーケンスが、前記アドレス信号の第１のシーケンスとは無関係に選択的に生成される、選択的に生成するステップと
を含み、前記選択的に生成するステップは、
前記一連のタイミングパルスのうちの一部のタイミングパルスと実質的に同期して受信された制御パルスに応答し、前記第１のシーケンスを開始し、及び前記第２のシーケンスを開始することを含む、方法。
【請求項７】
前記選択的に生成するステップは、前記一連のタイミングパルスのうちの第１のタイミングパルスと実質的に同期して受信された第１の制御パルスに応答し、前記第１のシーケンスを開始することをさらに含む、請求項６に記載の方法。
【請求項８】
前記選択的に生成するステップは、前記一連のタイミングパルスのうちの第２のタイミングパルスと実質的に同期して受信された第２の制御パルスに応答し、前記第２のシーケンスを開始することをさらに含む、請求項７に記載の方法。
【請求項９】
前記選択的に生成するステップは、前記一連のタイミングパルスのうちの第３のタイミングパルスと実質的に同期して受信された第３の制御パルスに応答し、方向信号をセットすることをさらに含む、請求項８に記載の方法。
【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
ウェブのプロセス経路を定める第１のロールの円周に関連する第１ロール誤差周波数を特定し、
プロセス経路に沿って基準位置に対する第１ロール誤差位相を特定し、
クロスプロセス移動の第１ロール誤差振幅を特定し、
前記ウェブの前記プロセス経路を定める第２のロールの円周に関連する第２ロール誤差周波数を特定し、
前記基準位置に対する第２ロール誤差位相を特定し、
クロスプロセス運動の第２ロール誤差振幅を特定し、
前記特定された第１のロール誤差周波数、第１のロール誤差位相、第１のロール誤差振幅、第２のロール誤差周波数、第２のロール誤差位相、及び第２のロール誤差振幅に基づいて第１の印刷ヘッド及び第２の印刷ヘッドのクロスプロセス位置を制御するステップを備え、ここで前記第１の印刷ヘッドは、前記プロセス経路の前記プロセス方向に沿って前記第２の印刷ヘッドから軸方向に間隔を空けられている、
ことを特徴とする、印刷システムにおける印刷ヘッドのクロスプロセス位置を制御する方法。
【請求項２】
前記プロセス経路に沿って移動する前記ウェブ上に第１のマークを形成するように前記第１の印刷ヘッドを制御し、
前記ウェブの第１のクロスプロセス軸の上の前記第１のマークに隣接する位置で前記ウェブ上に第２のマークを形成するように前記第２の印刷ヘッドを制御し、
前記第１のマーク及び前記第２のマークを検出し、
前記検出された第１のマーク及び前記検出された第２のマークに関連するデータの第１の最小二乗フィッティングを実行することを更に備え、前記第１のロール誤差位相の特定は、前記第１の最小二乗フィッティングに基づいており、前記第１のロール誤差振幅の特定は、前記第１の最小二乗フィッティングに基づいている請求項１に記載の方法。
【請求項３】
プロセス経路に沿って配置された第１の円周を有する第１のロールと、
前記プロセス経路に沿って配置された、前記第１の円周とは異なる第２の円周を有する第２のロールと、
前記プロセス経路に隣接して配置された第１の印刷ヘッドと、
前記プロセス経路に隣接して配置され、前記プロセス経路のトラック内軸に沿って前記第１の印刷ヘッドから軸方向に間隔を空けられた第２の印刷ヘッドと、
前記プロセス経路に沿って配置されたセンサと、
内部にコマンド命令が格納されたメモリと、
（ｉ）前記第１のロールに関連する第１のロール誤差（Ｒe）を特定し、（ｉｉ）前記第２のロールに関連する第２のＲeを特定し、（ｉｉｉ）前記第１のロール誤差及び前記第２のロール誤差から前記クロスプロセスのウェブ運動を計算することによって、前記プロセス経路のトラック内軸に沿って移動するウェブのクロスプロセス移動を特徴付け、
前記計算されたクロスプロセスのウェブ運動に基づいて前記第１の印刷ヘッドの前記クロスプロセス位置を制御し、
前記計算されたクロスプロセスのウェブ運動に基づいて前記第２の印刷ヘッドの前記クロスプロセス位置を制御する、
ための前記コマンド命令を実行するように構成されたプロセッサと、
を備えることを特徴とする印刷システム。
【請求項４】
前記プロセッサは、
前記ウェブ上に第１のマークを形成するように前記第１の印刷ヘッドを制御し、
前記ウェブの第１のクロスプロセス軸の上の前記第１のマークに隣接する位置で前記ウェブ上に第２のマークを形成するように前記第２の印刷ヘッドを制御し、
前記第１のマーク及び前記第２のマークを検出し、
前記クロスプロセスのウェブ位置を計算する際に前記検出された第１のマーク及び前記検出された第２のマークを用いて第１の最小二乗フィッティングを実行する、
ための前記コマンド命令を実行するようにさらに構成されることを特徴とする、請求項３に記載の印刷システム。
【請求項５】
前記プロセッサは、
第３の検出マークに基づいて前記第１の最小二乗フィッティングを実行する、
ための前記コマンド命令を実行するようにさらに構成されることを特徴とする、請求項４に記載のシステム。
【請求項６】
前記プロセッサは、
前記プロセス経路のトラック内軸に沿った前記第１の印刷ヘッドの前記位置に基づいて前記第１の印刷ヘッドに対するクロスプロセス補正を決定し、
前記プロセス経路のトラック内軸に沿った前記第２の印刷ヘッドの前記位置に基づいて前記第２の印刷ヘッドに対するクロスプロセス補正を決定する、
ための前記コマンド命令を実行するようにさらに構成されることを特徴とする、請求項４に記載のシステム。
【請求項７】
前記第１のロールはレベラロールであり、
前記第２のロールは予熱器ロールである、
ことを特徴とする、請求項６に記載のシステム。
【請求項８】
前記第１の印刷ヘッドは第１の印刷モジュール内にあり、
前記第２の印刷ヘッドは第２の印刷モジュール内にある、
ことを特徴とする、請求項６に記載のシステム。
【請求項９】
前記プロセッサは、
前記ウェブ上に第３のマークを形成するように前記第１の印刷ヘッドを制御し、
前記ウェブの第２のクロスプロセス軸の上の前記第３のマークに隣接する位置で前記ウェブ上に第４のマークを形成するように前記第２の印刷ヘッドを制御し、
前記第３のマーク及び前記第４のマークを検出し、
前記検出された第３のマーク及び前記検出された第４のマークに関連するデータの第２の最小二乗フィッティングを実行し、
前記第１の印刷ヘッドと前記第２の印刷ヘッドの前記制御されたクロスプロセス位置を前記第２の最小二乗フィッティングに基づいて変化させる、
ための前記コマンド命令を実行するようにさらに構成されることを特徴とする、請求項６に記載のシステム。
【請求項１０】
プロセス経路に沿って移動するウェブ上の位置決めパターン内の第１のマークの位置に関連する第１のクロスプロセス誤差を特定し、
前記位置決めパターン内の第２のマークの位置に関連する第２のクロスプロセス誤差を特定し、
前記プロセス経路に沿って配置された第１のロールに関連する第１のロール周波数を特定し、
前記プロセス経路に沿って配置された第２のロールに関連する第２のロール周波数を特定し、
前記第１のロール周波数、前記第２のロール周波数、前記第１のクロスプロセス誤差、及び前記第２のクロスプロセス誤差を用いて第１の最小二乗フィッティング解析を実行して前記第１のロールに関連する第１のロールの誤差（Ｒe）及び前記第２のロールに関連する第２のロールの誤差（Ｒe）に基づいて補償信号を特定し、そして、
前記特定された補償信号に基づいて第１の印刷ヘッド及び第２の印刷ヘッドのクロスプロセス位置を制御するステップを備え、ここで前記第１の印刷ヘッドは、前記プロセス経路のトラック内軸に沿って前記第２の印刷ヘッドから軸方向に間隔を空けられていることを特徴とする複数のインク印刷ヘッドを制御する方法。
【請求項１１】
前記クロスプロセス位置の制御は、
前記プロセス経路のトラック内軸に沿った前記第１の印刷ヘッドの前記位置に基づいて前記第１の印刷ヘッドの前記クロスプロセス位置を制御し、
前記プロセス経路のトラック内軸に沿った前記第２の印刷ヘッドの前記位置に基づいて前記第２の印刷ヘッドの前記クロスプロセス位置を制御する、
請求項１０に記載の方法。
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
電磁チャック機構により把持した環状工作物の外周面又は内周面を、研削部位に研削液を噴射供給しながら、センタレス研削方式で回転砥石によって研削する環状工作物の研削加工方法であって、
研削サイクルの仕上げ工程では、マグネットコイルに流す電流の切り替え時に減衰脱磁を実施するとともに、前記電磁チャック機構に通電する電流を減少させて、前記環状工作物に外力として作用している着磁力による把持力を低減させることにより該環状工作物に作用する外力を低減させることを特徴とする環状工作物の研削加工方法。
【請求項２】
前記研削サイクルの仕上げ工程時では、前記研削部位に噴射される研削液量を減らして、前記環状工作物に作用する外力を低減させることを特徴とする請求項１に記載の環状工作物の研削加工方法。
【請求項３】
環状工作物の端部に当接するチャック軸の周囲のマグネットコイルに通電することによって前記チャック軸に磁力を発生させて前記環状工作物の把持を行う電磁チャック機構と、前記チャック軸に把持された前記環状工作物の外周面又は内周面の研削を行う回転砥石と、前記回転砥石による研削部位に研削液を噴射する研削液噴射ノズルと、前記研削液噴射ノズルに研削液を供給する研削液供給手段と、を備えて、センタレス研削方式で前記環状工作物の外周面又は内周面の研削を行う環状工作物の研削加工装置であって、
前記電磁チャック機構は、前記マグネットコイルに通電する電流を研削サイクル中に加減できるチャック電源を備えていることを特徴とする環状工作物の研削加工装置。
【請求項４】
前記研削液供給手段は、供給する研削液量を研削サイクル中に加減できる構成としたことを特徴とする請求項３に記載の環状工作物の研削加工装置。
【手続補正２】
【補正対象書類名】明細書
【補正対象項目名】０００７
【補正方法】変更
【補正の内容】
【０００７】
上記目的は下記構成により達成される。
（１）  電磁チャック機構により把持した環状工作物の外周面又は内周面を、研削部位に研削液を噴射供給しながら、センタレス研削方式で回転砥石によって研削する環状工作物の研削加工方法であって、
研削サイクルの仕上げ工程では、マグネットコイルに流す電流の切り替え時に減衰脱磁を実施するとともに、前記電磁チャック機構に通電する電流を減少させて、前記環状工作物に外力として作用している着磁力による把持力を低減させることにより該環状工作物に作用する外力を低減させることを特徴とする環状工作物の研削加工方法。
【手続補正３】
【補正対象書類名】明細書
【補正対象項目名】０００８
【補正方法】変更
【補正の内容】
【０００８】
（２）  上記（１）において、  前記研削サイクルの仕上げ工程時では、前記研削部位に噴射される研削液量を減らして、前記環状工作物に作用する外力を低減させることを特徴とする環状工作物の研削加工方法。
【手続補正４】
【補正対象書類名】明細書
【補正対象項目名】０００９
【補正方法】変更
【補正の内容】
【０００９】
（３）  環状工作物の端部に当接するチャック軸の周囲のマグネットコイルに通電することによって前記チャック軸に磁力を発生させて前記環状工作物の把持を行う電磁チャック機構と、前記チャック軸に把持された前記環状工作物の外周面又は内周面の研削を行う回転砥石と、前記回転砥石による研削部位に研削液を噴射する研削液噴射ノズルと、前記研削液噴射ノズルに研削液を供給する研削液供給手段と、を備えて、センタレス研削方式で前記環状工作物の外周面又は内周面の研削を行う環状工作物の研削加工装置であって、
前記電磁チャック機構は、前記マグネットコイルに通電する電流を研削サイクル中に加減できるチャック電源を備えていることを特徴とする環状工作物の研削加工装置。